(57)【要約】【課題】洗濯物の布質を検知し、化学繊維類多い場合は、洗濯水の上限を４０度に決定する洗濯機を提供すること。【解決手段】洗濯物を収容し回転自在な洗濯槽３と、洗濯槽３を収容する水槽２と、洗濯槽３を回転駆動する駆動手段７と、水槽２に洗濯水を給水する給水手段１０と、洗濯物の布質を判定する布質判定手段２７と、洗濯水を加熱する加熱手段１４と、洗濯水の温度を検知する温度検知手段１５と、洗い工程を制御する制御手段２２とを備え、制御手段２２は、布質判定手段２７が判定した布質に応じて、洗濯水の加熱上限温度を変更する。これにより洗浄性能を向上させ、化学繊維類の変形や伸びを防ぐ。【選択図】図１
2014100428.tif 000002
【特許請求の範囲】
【請求項１】
洗濯物を収容し回転自在な洗濯槽と、
前記洗濯槽を収容する水槽と、
前記洗濯槽を回転駆動する駆動手段と、
前記水槽に洗濯水を給水する給水手段と、
前記洗濯物の布質を判定する布質判定手段と、
洗濯水を加熱する加熱手段と、
洗濯水の温度を検知する温度検知手段と、
洗い工程を制御する制御手段とを備え、
前記制御手段は、前記布質判定手段が判定した布質に応じて、洗濯水の加熱上限温度を変更するようにした洗濯機。
【請求項２】
前記加熱上限温度は、第１の温度と、前記第１の温度よりも低い第２の温度とを含み、
前記制御手段は、前記布質判定手段によって化学繊維が多いと判定された場合には、前記加熱上限温度を前記第２の温度にするようにした請求項１に記載の洗濯機。
【請求項３】
前記加熱上限温度は、第１の温度と、前記第１の温度よりも低い第２の温度とを含み、
前記制御手段は、前記布質判定手段によって綿が多いと判定された場合には、前記加熱上限温度を前記第１の温度にするようにした請求項１または２に記載の洗濯機。
【請求項４】
前記制御手段は、給水終了後に布質を判定するようにした請求項１〜３のいずれか１項に記載の洗濯機。
【請求項５】
洗濯物の布質が選択される布質選択手段をさらに供え、
前記布質判定手段は、前記布質選択手段による布質に応じて、前記加熱上限温度を変更するようにした請求項１または２に記載の洗濯機。
【発明の詳細な説明】
【技術分野】
【０００１】
本発明は、加熱された洗濯水により衣類等の洗濯を行う洗濯機に関する。
【背景技術】
【０００２】
従来のドラム式洗濯機は、洗濯水を加熱手段により昇温させることにより、汚れを落としやすくしているものがある（例えば、特許文献１参照）。
【０００３】
図６は、従来の洗濯機の断面図である。図６において、水を供給する給水口６２と、給水口６２から洗濯槽６３に至る給水経路を主水路６４とバイパス経路６５に分岐する切換弁６６とを備え、バイパス経路６５の途中に適温制御機能付き加熱器６７を設けている。そして適温制御機能付きの加熱器６７は、液体としての水を加熱する発熱体としてシーズヒータ７４と、シーズヒータ７４の外周を囲って流路７５を構成する円筒状のケース７６と、流路７５を螺旋状に構成するための乱流生成手段としてのばね７７で構成されている。そして給水された低温の洗濯水を適温制御機能付きの加熱器６７により高温に変換するものである。また、加熱された温水を洗濯槽６３に吐出することにより、洗濯槽６３を加熱消毒して、殺菌や除菌の作用を得ている。また、本格的な消毒の効果を得るために、温水洗浄の温度である４５度よりも高い６０度にまで洗濯水の温度を上げている。
【先行技術文献】
【特許文献】
【０００４】
【特許文献１】特開２００６−４３１００号公報
【発明の概要】
【発明が解決しようとする課題】
【０００５】
しかしながら、前記従来の構成では、洗濯物に化学繊維類の衣類が入っていた場合、高い温度の洗濯水が供給されると、化学繊維類が変形して伸びてしまうという課題を有していた。
【０００６】
本発明は、前記従来の課題を解決するもので、洗濯物の布質に応じて、洗濯水の加熱上限温度を変更する洗濯機を提供することを目的とする。
【課題を解決するための手段】
【０００７】
前記従来の課題を解決するために、本発明の洗濯機は、洗濯物を収容し回転自在な洗濯槽と、前記洗濯槽を収容する水槽と、前記洗濯槽を回転駆動する駆動手段と、前記水槽に洗濯水を給水する給水手段と、前記洗濯物の量を判定する重量判定手段と、前記洗濯物の布質を判定する布質判定手段と、洗濯水を加熱する加熱手段と、洗濯水の温度を検知する温度検知手段と、洗い工程を制御する制御手段とを備え、前記制御手段は、前記布質判定手段が判定した布質に応じて、洗濯水の加熱上限温度を変更するようにしたものである。
【０００８】
これにより、汚れを落ちやすく、かつ洗濯物の変形や伸びを防ぐことができる。
【発明の効果】
【０００９】
本発明のドラム式洗濯機は、洗濯物の布質に応じて、洗濯水の上限温度を変更することで、繊維の変形や伸びを防ぐことができる。
【図面の簡単な説明】
【００１０】
【図１】本発明の実施の形態１におけるドラム式洗濯機の断面図
【図２】本発明の実施の形態１におけるドラム式洗濯機のブロック図
【図３】本発明の実施の形態１における洗濯機の動作を示すフローチャート
【図４】本発明の実施の形態２におけるドラム式洗濯機のブロック図
【図５】本発明の実施の形態２における洗濯機の動作を示すフローチャート
【図６】従来の洗濯機の断面図
【発明を実施するための形態】
【００１１】
本発明の洗濯機は、洗濯物を収容し回転自在な洗濯槽と、前記洗濯槽を収容する水槽と、前記洗濯槽を回転駆動する駆動手段と、前記水槽に洗濯水を給水する給水手段と、前記洗濯物の量を判定する重量判定手段と、前記洗濯物の布質を判定する布質判定手段と、洗濯水を加熱する加熱手段と、洗濯水の温度を検知する温度検知手段と、洗い工程を制御する制御手段とを備え、前記制御手段は、前記布質判定手段が判定した布質に応じて、洗濯水の加熱上限温度を変更するようにしたものである。これにより、繊維に適した温度で洗濯をすることができ、洗浄力を向上させ、かつ衣類の変形や伸びを防ぐことができる。
【００１２】
上記構成において、前記加熱上限温度は、衣類を殺菌する第１の温度と、前記第１の温度よりも低い第２の温度とを含み、前記制御手段は、前記布質判定手段によって化学繊維が多いと判定された場合には、前記加熱上限温度を前記第２の温度にするようにしてもよい。
【００１３】
これにより、温度に弱い化学繊維類の変形や伸びを防ぐことができる。
【００１４】
上記構成において、前記加熱上限温度は第１の温度と、前記第１の温度よりも低い第２の温度とを含み、前記制御手段は、前記布質判定手段によって綿が多いと判定された場合には、前記加熱上限温度を前記第１の温度にするようにしてもよい。
【００１５】
これにより、綿類が多いと判定された場合には、菌や汚れが落ちにくい綿衣類を温度の高い洗濯水により洗浄することができ、洗浄力を向上させることができる
上記構成において、前記制御手段は、給水終了後に布質を判定するようにしてもよい。
【００１６】
これにより、より綿と化学繊維類の含水量の違いが分かりやすくなることから、繊維に適した温度で洗濯することができ、洗浄力を向上させ、かつ衣類の変形や伸びを防ぐことができる。
【００１７】
上記構成において、洗濯物の布質が選択される布質選択手段をさらに供え、前記布質判定手段は、前記布質選択手段による布質に応じて、前記加熱上限温度を変更するようにしてもよい。
【００１８】
これにより、繊維に適した温度で洗濯することができ、洗浄力を向上させ、かつ衣類の変形や伸びを防ぐことができる。
【００１９】
以下、本発明の実施の形態について、図面を参照しながら説明する。なお、本実施の形態によって、本発明が限定されるものではない。
【００２０】
（実施の形態１）
図１は、本発明の実施の形態１または２におけるドラム式洗濯機の断面図、図２は、本発明の実施の形態１におけるドラム式洗濯機のブロック図である。
【００２１】
ドラム式洗濯機の筐体１は、その内部には洗濯水を溜める水槽２を前上がりに傾斜させた状態に配設しており、吊り下げばね（図示せず）およびダンパー（図示せず）によって
弾性支持している。水槽２内には洗濯物を収容する有底円筒状のドラム３（洗濯槽）が回転可能に設けられている。ドラム３内の周側壁面には、複数のバッフル４と、水槽２内と連通する多数の小孔５が設けられ、前面側には洗濯物を出し入れする開口部６が設けられている。
【００２２】
ドラム３を回転駆動する駆動モータ７（駆動手段）は、水槽２の外周下部に固定され、ベルト８およびプーリー９を介してドラム３を回転させる構成となっている。水槽２内に洗濯水を供給する給水手段としての給水弁１０（給水手段）は、給水路１１中に設けた洗剤を投入する洗剤ケース１２を介して水槽２内に洗濯水を供給する。
【００２３】
水槽２内の水溜部１３が設けられている。この水溜部１３内に水槽２内に溜められる洗濯水の水面と略平行にヒータ１４（加熱手段）が配設され、水溜部１３に溜められた洗濯水を洗濯に適した所定の温度に加熱することができる。水溜部１３の温度はサーミスタ等の温度検知手段１５によって検知する。
【００２４】
水槽２内の水溜部に溜められた洗濯水は、循環水路１６に設けたポンプ１７によってドラム３内へ循環させることができる。水溜部１３の底部に循環水路１６と連通した洗濯水を吸い込む吸い込み部１８を設け、ドラム３内の前面部に設けた開口部６の上部に、ドラム３内に向けて洗濯水が吐出されるように吐出部１９を設けている。
【００２５】
循環水路１６にはポンプ１７の下流側に切換弁２０が設けてあり、吐出部１９に通じる循環水路１６と、洗濯水を機外へ排出する排水路２１のいずれかに選択的に切換えることができる。洗いおよびすすぎ時は、水溜部１３内の洗濯水の循環水路１６を通じて吐出部１９からドラム３内の洗濯物に向けて吐出することができ、洗いおよびすすぎ後の洗濯水を、排水路２１を通じて機外へ排出することができる。
【００２６】
筐体１内に設けられた制御手段２２は、駆動モータ７、給水弁１０、ヒータ１４、ポンプ１７、切換弁２０等を駆動し、洗い、すすぎ、脱水の各工程を逐次制御する。
【００２７】
以上のように構成されたドラム式洗濯機について、以下その動作、作用を説明する。
【００２８】
筐体１の前面側に開閉試合に設けた扉２３を開いて開口部６からドラム３内に洗濯物を投入し、操作部２４の電源スイッチ（図示せず）をオンし、スタートスイッチ（図示せず）を操作して運転が開始すると、布量判定手段２５により投入された洗濯物の量が検知され、給水弁１０が動作して給水が開始される。
【００２９】
水位は投入される布量に応じてあらかじめ設定されており、洗剤ケース１２内に投入された洗剤とともに水槽２に洗濯水が給水される。
【００３０】
水位検知手段２６により、あらかじめ設定された水位に到達したことを検知すると給水が停止させる。給水終了後、駆動モータ７によってドラム３を回転駆動させることで、ドラム３内の洗濯物はバッフル４によって持ち上げられ、給水された水を含水する。
【００３１】
また制御手段２２は、切換弁２０を循環水路１６側に切換えるとともに、ポンプ１７はあらかじめ設定された回転数で駆動し、所定量の洗濯水をドラム３内に循環させて、ドラム３内の洗濯物に洗濯水を十分に含水させることができる。一定時間、例えば５分間、ドラム３を回転させ十分に洗濯水を含水させた後、ドラム３を停止させ、布質判定手段２７により洗濯物の布質判定を行う。
【００３２】
布量に応じて含水率は変化するが、さらに布質が綿類の場合、化学繊維類より含水率が
高く、洗濯水の含水量が多くなることから、あらかじめ設定された水位からの水位の低下が例えば１５０ｍｍなど大きくなる。逆に、洗濯物の布質が化学繊維類の場合は、含水率が低いため、設定された水位からの差が例えば５０ｍｍなど小さくなる。
【００３３】
このようにして、洗濯物が洗濯水を含水する前後の水位の変化を利用して衣類の布質を判定する。
【００３４】
なお、布質の判定方法はこれに限らず、すすぎ前に布質が判定可能な方法であれば適用することができる。
【００３５】
布質判定終了後、洗い工程が開始され、布質に応じて加熱上限温度を変更し、ヒータ１４を通電させ洗濯水を加熱するように制御される。
【００３６】
例えば７０度洗濯コースが選択され、布質に化学繊維類があると判定された場合、洗濯水の加熱上限温度を４０度とし、加熱上限温度が４０度に変更される。これにより、化学繊維類の変形や伸びを防ぐことができる。
【００３７】
また布質に綿類が多いと判定された場合は、洗濯水の加熱上限温度は７０度となる。綿類は、汚れが落ちにくく、菌が繁殖しやすい。よって、高温の洗濯水により洗浄を行うことにより、洗浄性能を向上させることができる。
【００３８】
なお、本実施の形態では、布質検知手段として、水位検知手段２６を用いたが、本発明の原理は、これに限られず、布質を検知するための任意のセンサを用いる洗濯機に適用することができる。
【００３９】
なお、本実施の形態においては、ドラム式洗濯機として説明したが、ドラムの回転軸が垂直である縦型の洗濯機や、乾燥機能付きの洗濯乾燥機としてもよい。
【００４０】
（実施の形態２）
図４は本発明の実施の形態２におけるドラム式洗濯機のブロック図、図５は本発明の実施の形態２における洗濯機の動作を示すフローチャートである。以下、実施の形態１と異なるところを説明する。
【００４１】
筐体１の前面側に開閉試合に設けた扉２３を開いて開口部６からドラム３内に洗濯物を投入し、操作部２４の電源スイッチ（図示せず）をオンする。投入した洗濯物の布質を例えば綿や化学繊維類などが布質選択手段２４ａにより選択され、スタートスイッチ（図示せず）が操作されて運転が開始する。
【００４２】
運転が開始されると、布量判定手段２５により投入された洗濯物の量が検知され、給水弁１０が動作して給水が開始される。
【００４３】
水位は投入される布量に応じてあらかじめ設定されており、洗剤ケース１２内に投入された洗剤とともに水槽２に洗濯水が給水され、水位検知手段２６により、設定された水位に到達したことを検知すると給水が停止させる。
【００４４】
なお、水位検知はドラム３の回転駆動停止中１回に限らず、２回、３回と検知することができる。
【００４５】
給水が終了すると洗い工程が開始され、駆動モータ７によってドラム３が回転駆動し、運転を開始する際に選択した布質に応じて加熱上限温度を変更し、ヒータ１４を通電させ
洗濯水を加熱するように制御される。
【００４６】
例えば、運転を開始する際に選択した布質が化学繊維類の場合は、洗濯水の加熱上限温度を４０度とし、加熱上限温度が変更される。これにより、誤って７０度洗濯コースを選択した場合でも、洗濯水の温度を４０度にすることで、化学繊維類の変形や伸びを防ぐことができる。
【産業上の利用可能性】
【００４７】
以上のように、本発明にかかるドラム式洗濯機は、布質検知しその布質に応じて洗濯水の加熱上限温度を変更することにより、洗浄性能を向上させ、かつ衣類の変形や伸びを防ぐことができるため、ドラム式洗濯機として有用である。
【符号の説明】
【００４８】
１  筐体
２  水槽
３  ドラム（洗濯槽）
４  バッフル
７  駆動モータ（駆動手段）
１０  給水弁（給水手段）
１４  ヒータ（加熱手段）
１５  温度検知手段
２２  制御手段
２４  操作部
２５  布量判定手段
２６  水位検知手段
２７  布質判定手段
【図１】
2014100428.tif 000003
【図２】
2014100428.tif 000004
【図３】
2014100428.tif 000005
【図４】
2014100428.tif 000006
【図５】
2014100428.tif 000007
【図６】
2014100428.tif 000008